(57)【要約】【課題】既存の複数の管理組織を全体として管理する。【解決手段】全体統括部門ＤＢ１１は、自ＤＢに記憶された目標を各要素統括部門ＤＢ２１に分配する。また、各要素統括部門ＤＢ２１から実績を収集し、目標と比較して報告を作成する。要素統括部門ＤＢ２１は、全体統括部門ＤＢ１１から分配された目標を配下の各要素部門ＤＢ３１に分配する。また、配下の各要素部門ＤＢ３１から実績を収集し、目標と比較して報告を作成する。要素部門ＤＢ３１は、自部門を管轄する要素統括部門ＤＢ２１から分配された目標と要素部門端末３４に入力された実績とを比較して報告を作成する。ここで、要素統括部門ＤＢ２１は、全体統括部門ＤＢ１１から分配された目標の単位を自ＤＢが採用する単位に変換する。また、配下の要素部門ＤＢ３１から収集した実績の単位を全体統括部門ＤＢ１１が採用する単位に変換する。【選択図】図１
2007048048.tif 000002
【特許請求の範囲】
【請求項１】
目標データおよび実績データを複数の階層で管理するデータ管理システムであって、
最上層に位置する全体統括部門に対して設けられた全体統括部門データベースと、
最下層に位置する少なくとも１つの要素部門毎に設けられた要素部門データベースと、
少なくとも１つの中間層に位置する少なくとも１つの要素統括部門毎に設けられた要素統括部門データベースと、を備え、
前記要素部門データベースは、
自要素部門の一つ上の階層に位置し当該自要素部門を管轄する部門に設けられた要素統括部門データベースである第１の管轄部門データベースより、目標データを受信する要素部門目標データ受信手段と、
前記要素部門目標データ受信手段で受信した目標データを記憶する要素部門目標データ記憶手段と、
自要素部門の実績データを記憶する要素部門実績データ記憶手段と、
前記要素部門実績データ記憶手段から実績データを読み出して、前記第１の管轄部門データベースに送信する要素部門実績データ送信手段と、
前記要素部門実績データ記憶手段に記憶されている実績データと、前記要素部門目標データ記憶手段に記憶されている目標データとを用いて、当該目標データが示す目標値に対する当該実績データが示す実績値の達成率を含む報告データを生成し出力する第１の報告データ出力手段と、を有し、
前記要素統括部門データベースは、
自要素統括部門の一つ上の階層に位置し当該自要素統括部門を管轄する部門に設けられた要素統括部門データベースあるいは全体統括部門データベースである第２の管轄部門データベースより、目標データを受信する要素統括部門目標データ受信手段と、
前記要素統括部門目標データ受信手段より受信した目標データを記憶する要素統括部門目標データ記憶手段と、
自要素統括部門の一つ下の階層に位置し当該自要素統括部門が管轄する各部門に設けられた要素統括部門データベースあるいは要素部門データベースである第１の被管轄部門データベースより、実績データを受信する要素統括部門実績データ受信手段と、
前記要素統括部門実績データ受信手段で受信した実績データを記憶する要素統括部門実績データ記憶手段と、
前記要素統括部門目標データ記憶手段に記憶されている目標データが示す目標値の単位を、予め定められた規則に従い自要素統括部門が採用する単位に変換すると共に、前記要素統括部門実績データ記憶手段に記憶されている実績データが示す実績値の単位を、前記予め定められた規則に従い前記自要素統括部門を管轄する部門が採用する単位に変換するデータ変換手段と、
前記第１の被管轄部門データベース各々に対して、前記データ変換手段により単位が変換された目標データを、予め定められた分配比率で分割して分配する第１の目標データ分配手段と、
前記データ変換手段により単位が変換された実績データを、前記第２の管轄部門データベースに送信する要素統括部門実績データ送信手段と、
前記要素括部門実績データ記憶手段に記憶されている実績データと、前記要素統括部門目標データ記憶手段に記憶されている目標データとを用いて、当該目標データが示す目標値に対する当該実績データが示す実績値の達成率を含む報告データを生成し出力する第２の報告データ出力手段と、を有し、
前記全体統括部門データベースは、
目標データを記憶する全体統括部門目標データ記憶手段と、
自全体統括部門の一つ下の階層に位置し当該自全体統括部門が管轄する各部門に設けられた要素統括部門データベースである第２の被管轄部門データベースより、実績データを受信する全体統括部門実績データ受信手段と、
前記全体統括部門実績データ受信手段で受信した実績データを記憶する全体統括部門実績データ記憶手段と、
前記第２の被管轄部門データベース各々に対して、前記全体統括部門目標データ記憶手段に記憶されている目標データを、予め定められた分配比率で分割して分配する第２の目標データ分配手段と、
前記全体統括部門実績データ記憶手段に記憶されている実績データと、前記全体統括部門目標データ記憶手段に記憶されている目標データとを用いて、当該目標データが示す目標値に対する当該実績データが示す実績値の達成率を含む報告データを生成し出力する第３の報告データ出力手段と、を有すること
を特徴とするデータ管理システム。
【請求項２】
請求項１に記載のデータ管理システムであって、
前記要素部門データベースの前記要素部門実績データ送信手段は、
前記要素部門目標データ記憶手段に記憶されている目標データが示す目標達成期間内に達成された実績を示す実績データを、前記要素部門実績データ記憶手段から読み出して、前記第１の管轄部門データベースに送信し、
前記要素統括部門データベースの前記データ変換手段は、
前記要素統括部門目標データ記憶手段に記憶されている目標データが示す目標達成期間内に達成された実績を示す実績データの実績値の単位を、前記自要素統括部門を管轄する部門が採用する単位に変換すること
を特徴とするデータ管理システム。
【請求項３】
請求項１又は２に記載のデータ管理システムであって、
前記少なくとも１つの要素部門毎に設けられた要素部門端末をさらに有し、
前記要素部門端末は、
自要素部門に対して設けられた前記要素部門データベースの前記要素部門実績データ記憶手段に、自要素部門の実績データを記憶すること
を特徴とするデータ管理システム。
【請求項４】
目標データおよび実績データを複数の階層で管理するデータ管理システムにおいて、最下層に位置する要素部門に設けられた要素部門データベースであって、
自要素部門の一つ上の階層に位置し、当該自要素部門を管轄する部門に設けられた管轄部門データベースより、目標データを受信する要素部門目標データ受信手段と、
前記要素部門目標データ受信手段で受信した目標データを記憶する要素部門目標データ記憶手段と、
自要素部門の実績データを記憶する要素部門実績データ記憶手段と、
前記要素部門実績データ記憶手段から実績データを読み出して、前記管轄部門データベースに送信する要素部門実績データ送信手段と、
前記要素部門実績データ記憶手段に記憶されている実績データと、前記要素部門目標データ記憶手段に記憶されている目標データとを用いて、当該目標データが示す目標値に対する当該実績データが示す実績値の達成率を含む報告データを生成し出力する報告データ出力手段と、を有すること
を特徴とする要素部門データベース。
【請求項５】
目標データおよび実績データを複数の階層で管理するデータ管理システムであって、中間層に位置する要素統括部門に設けられた要素統括部門データベースであって、
自要素統括部門の一つ上の階層に位置し、当該自要素統括部門を管轄する部門に設けられた管轄部門データベースより、目標データを受信する要素統括部門目標データ受信手段と、
前記要素統括部門目標データ受信手段より受信した目標データを記憶する要素統括部門目標データ記憶手段と、
自要素統括部門の一つ下の階層に位置し、当該自要素統括部門が管轄する各部門に設けられた被管轄部門データベースより、実績データを受信する要素統括部門実績データ受信手段と、
前記要素統括部門実績データ受信手段で受信した実績データを記憶する要素統括部門実績データ記憶手段と、
前記要素統括部門目標データ記憶手段に記憶されている目標データが示す目標値の単位を、予め定められた規則に従い自要素統括部門が採用する単位に変換すると共に、前記要素統括部門実績データ記憶手段に記憶されている実績データが示す実績値の単位を、前記予め定められた規則に従い前記自要素統括部門を管轄する部門が採用する単位に変換するデータ変換手段と、
前記被管轄部門データベース各々に対して、前記データ変換手段により単位が変換された目標データを、予め定められた分配比率で分割して分配する目標データ分配手段と、
前記データ変換手段により単位が変換された実績データを、前記管轄部門データベースに送信する要素統括部門実績データ送信手段と、
前記要素括部門実績データ記憶手段に記憶されている実績データと、前記要素統括部門目標データ記憶手段に記憶されている目標データとを用いて、当該目標データが示す目標値に対する当該実績データが示す実績値の達成率を含む報告データを生成し出力する報告データ出力手段と、を有すること
を特徴とする要素統括部門データベース。
【請求項６】
目標データおよび実績データを複数の階層で管理するデータ管理システムにおいて、最上層に位置する全体統括部門に対して設けられた全体統括部門データベースであって、
目標データを記憶する全体統括部門目標データ記憶手段と、
自全体統括部門の一つ下の階層に位置し当該自全体統括部門が管轄する各部門に設けられた被管轄部門データベースより、実績データを受信する全体統括部門実績データ受信手段と、
前記全体統括部門実績データ受信手段で受信した実績データを記憶する全体統括部門実績データ記憶手段と、
前記被管轄部門データベース各々に対して、前記全体統括部門目標データ記憶手段に記憶されている目標データを、予め定められた分配比率で分割して分配する目標データ分配手段と、
前記全体統括部門実績データ記憶手段に記憶されている実績データと、前記全体統括部門目標データ記憶手段に記憶されている目標データとを用いて、当該目標データが示す目標値に対する当該実績データが示す実績値の達成率を含む報告データを生成し出力する報告データ出力手段と、を有すること
を特徴とする全体統括部門データベース。
【請求項７】
コンピュータで読取り可能なプログラムであって、
前記プログラムは、コンピュータを、
目標データおよび実績データを複数の階層で管理するデータ管理システムにおいて、最下層に位置する要素部門に設けられた要素部門データベースであって、
自要素部門の一つ上の階層に位置し、当該自要素部門を管轄する部門に設けられた管轄部門データベースより、目標データを受信する要素部門目標データ受信手段と、
前記要素部門目標データ受信手段で受信した目標データを記憶する要素部門目標データ記憶手段と、
自要素部門の実績データを記憶する要素部門実績データ記憶手段と、
前記要素部門実績データ記憶手段から実績データを読み出して、前記管轄部門データベースに送信する要素部門実績データ送信手段と、
前記要素部門実績データ記憶手段に記憶されている実績データと、前記要素部門目標データ記憶手段に記憶されている目標データとを用いて、当該目標データが示す目標値に対する当該実績データが示す実績値の達成率を含む報告データを生成し出力する報告データ出力手段と、を有する要素部門データベースとして、機能させること
を特徴とするコンピュータ読取り可能なプログラム。
【請求項８】
コンピュータで読取り可能なプログラムであって、
前記プログラムは、コンピュータを、
目標データおよび実績データを複数の階層で管理するデータ管理システムであって、中間層に位置する要素統括部門に設けられた要素統括部門データベースであって、
自要素統括部門の一つ上の階層に位置し、当該自要素統括部門を管轄する部門に設けられた管轄部門データベースより、目標データを受信する要素統括部門目標データ受信手段と、
前記要素統括部門目標データ受信手段より受信した目標データを記憶する要素統括部門目標データ記憶手段と、
自要素統括部門の一つ下の階層に位置し、当該自要素統括部門が管轄する各部門に設けられた被管轄部門データベースより、実績データを受信する要素統括部門実績データ受信手段と、
前記要素統括部門実績データ受信手段で受信した実績データを記憶する要素統括部門実績データ記憶手段と、
前記要素統括部門目標データ記憶手段に記憶されている目標データが示す目標値の単位を、予め定められた規則に従い自要素統括部門が採用する単位に変換すると共に、前記要素統括部門実績データ記憶手段に記憶されている実績データが示す実績値の単位を、前記予め定められた規則に従い前記自要素統括部門を管轄する部門が採用する単位に変換するデータ変換手段と、
前記被管轄部門データベース各々に対して、前記データ変換手段により単位が変換された目標データを、予め定められた分配比率で分割して分配する目標データ分配手段と、
前記データ変換手段により単位が変換された実績データを、前記管轄部門データベースに送信する要素統括部門実績データ送信手段と、
前記要素括部門実績データ記憶手段に記憶されている実績データと、前記要素統括部門目標データ記憶手段に記憶されている目標データとを用いて、当該目標データが示す目標値に対する当該実績データが示す実績値の達成率を含む報告データを生成し出力する報告データ出力手段と、を有する要素統括部門データベースとして、機能させること
を特徴とするコンピュータ読取り可能なプログラム。
【請求項９】
コンピュータで読取り可能なプログラムであって、
前記プログラムは、コンピュータを、
目標データおよび実績データを複数の階層で管理するデータ管理システムにおいて、最上層に位置する全体統括部門に対して設けられた全体統括部門データベースであって、
目標データを記憶する全体統括部門目標データ記憶手段と、
自全体統括部門の一つ下の階層に位置し当該自全体統括部門が管轄する各部門に設けられた被管轄部門データベースより、実績データを受信する全体統括部門実績データ受信手段と、
前記全体統括部門実績データ受信手段で受信した実績データを記憶する全体統括部門実績データ記憶手段と、
前記被管轄部門データベース各々に対して、前記全体統括部門目標データ記憶手段に記憶されている目標データを、予め定められた分配比率で分割して分配する目標データ分配手段と、
前記全体統括部門実績データ記憶手段に記憶されている実績データと、前記全体統括部門目標データ記憶手段に記憶されている目標データとを用いて、当該目標データが示す目標値に対する当該実績データが示す実績値の達成率を含む報告データを生成し出力する報告データ出力手段と、を有する全体統括部門データベースとして、機能させること
を特徴とするコンピュータ読取り可能なプログラム。
【請求項１０】
最上層に位置する全体統括部門に対して設けられた全体統括部門データベースと、最下層に位置する少なくとも１つの要素部門毎に設けられた要素部門データベースと、少なくとも１つの中間層に位置する少なくとも１つの要素統括部門毎に設けられた要素統括部門データベースと、を備えるデータ管理システムが、目標データおよび実績データを複数の階層で管理するデータ管理方法であって、
前記要素部門データベースが、
自要素部門の一つ上の階層に位置し、当該自要素部門を管轄する部門に設けられた要素統括部門データベースである第１の管轄部門データベースより、目標データを受信して記憶するステップと、
記憶してある実績データを読み出して、前記第１の管轄部門データベースに送信するステップと、
記憶している実績データおよび目標データを用いて、当該目標データが示す目標値に対する当該実績データが示す実績値の達成率を含む報告データを生成し出力するステップと、を行い、
前記要素統括部門データベースが、
自要素統括部門の一つ上の階層に位置し、当該自要素統括部門を管轄する部門に設けられた要素統括部門データベースあるいは全体統括部門データベースである第２の管轄部門データベースより、目標データを受信して記憶するステップと、
自要素統括部門の一つ下の階層に位置し、当該自要素統括部門が管轄する各部門に設けられた要素統括部門データベースあるいは要素部門データベースである第１の被管轄部門データベースより、実績データを受信して記憶するステップと、
記憶している目標データが示す目標値の単位を、予め定められた規則に従い自要素統括部門が採用する単位に変換すると共に、記憶している実績データが示す実績値の単位を、前記予め定められた規則に従い前記自要素統括部門を管轄する部門が採用する単位に変換するステップと、
前記第１の被管轄部門データベース各々に対して、単位が変換された目標データを、予め定められた分配比率で分割して分配するステップと、
単位が変換された実績データを、前記第２の管轄部門データベースに送信するステップと、
記憶している実績データおよび目標データを用いて、当該目標データが示す目標値に対する当該実績データが示す実績値の達成率を含む報告データを生成し出力するステップと、を行い、
前記全体統括部門データベースが、
自全体統括部門の一つ下の階層に位置し当該自全体統括部門が管轄する各部門に設けられた要素統括部門データベースである第２の被管轄部門データベースより、実績データを受信して記憶するステップと、
前記第２の被管轄部門データベース各々に対して、記憶している目標データを、予め定められた分配比率で分割して分配するステップと、
記憶している実績データおよび目標データを用いて、当該目標データが示す目標値に対する当該実績データが示す実績値の達成率を含む報告データを生成し出力するステップと、を行うこと
を特徴とするデータ管理方法。
【発明の詳細な説明】
【技術分野】
【０００１】
本発明は、データを管理する技術に関し、特に、ＩＳＯ（International Organization for Standardization）１４００１に代表される環境マネジメントシステム（ＥＭＳ：Enviromental Managment System）のデータ管理に好適な技術に関する。
【背景技術】
【０００２】
ＥＭＳは、全体的なマネジメントシステムの一部で、環境方針を作成し、実施し、達成し、みなおしかつ維持するための、組織の体制、計画活動、責任、慣行、手順、プロセス及び資源を含むものである。ＥＭＳでは、環境方針に従い幾つかの環境側面について、目標を立て、実績がその目標を達成するように活動する。通常、ＥＭＳでは、事業活動が営まれているサイトなどを一つのＥＭＳ組織として定義する。例えば、ＩＳＯ１４００１の認証審査では、審査対象の組織が規格の要求事項に適合していることが確認された場合に、当該組織に認証が与えられる。このような組織を一つのＥＭＳ組織として定義する。
【０００３】
ところで、一般に、組織は、少なくとも、組織全体を統括する上位の階層と、組織を構成する下位の階層と、を含む複数の階層を有する。そして、組織全体を統括する上位の階層には統括部門が割り当てられ、組織を構成する下位の階層には各々の要素部門が割り当てられる。また、各々の階層には責任部門が割り当てられる。ここで、例えば、統括部門は工場長がマネジメントする範囲であり、要素部門は部長がマネジメントする範囲である。
【０００４】
ＥＭＳ組織の内部では、目標と実績とのマネジメントが要求される。工場全体で定めた目標（例えば工場全体でのＣＯ２排出量の目標値）は、各要素部門の目標値（例えば各要素部門における石油消費量および電力使用量各々の目標値）に分解されても整合がとれている必要がある。実績値についても、各要素部門で未達、過達があったとしても、統括部門での数値（各要素部門の数値を合計した数値）としては、目標を達成していなければならない。特許文献１には、上位層の実績数値と幾つかの要素部門からなる下位層の実績数値との整合性を維持し、目標と実績とのマネジメントを支援する技術が開示されている。
【０００５】
【特許文献１】特開平１０-１２４５８７号公報
【発明の開示】
【発明が解決しようとする課題】
【０００６】
ところで、多数の工場等を持つ大規模企業では、例えば工場毎にＥＭＳ組織が個別に形成されている場合がある。一方で、温暖化ガス排出権取引やサプライチェーン管理等の環境法規制の整備が進むにつれ、工場といった地域単位ではなく、企業全体としてＥＭＳが求められるようになってきている。このような要望に対処する方法として、既存のＥＭＳ組織をすべて内部に取り込んだ巨大なＥＭＳ組織を作ることが考えられる。しかし、各々のＥＭＳ組織には各々の地域に固有の事情等もあり、必ずしも本社の定めた一つのスキームに完全に統合できない場合がある。
【０００７】
本発明は上記事情に鑑みてなされたものであり、本発明の目的は、既存の複数の管理組織の存在を許容しつつ、これらの管理組織を全体として管理できるようにすることにある。具体的には、目標と実績とを、それぞれの階層で（つまり異なる粒度で）管理できるようにすることにある。
【課題を解決するための手段】
【０００８】
上記課題を解決するために、本発明は、目標データおよび実績データを複数の階層で管理する。各階層にデータベースを配置する。最上層に配置されたデータベースは、一つ下の階層に配置された全てのデータベースを配下とし、自データベースに記憶された目標データを所定の比率で分割して配下のデータベース各々に分配する。また、配下のデータベースから実績データを収集する。そして、収集した実績データと目標データとを比較して報告データを作成し出力する。また、中間層に配置されたデータベースは、一つ下の階層に配置されたデータベースのうちの少なくとも一つを配下とし、一つ上の階層に配置された自データベースを管轄するデータベースから分配された目標データを、所定の比率で分割して配下のデータベース各々に分配する。また、配下のデータベースから実績データを収集する。そして、収集した実績データと目標データとを比較して報告データを作成し出力する。最下層に配置されたデータベースは、一つ上の階層に配置された自データベースを管轄するデータベースから分配された目標データと、ユーザ等によって登録された実績データとを比較して報告データを作成し出力する。ここで、中間層に配置されたデータベースは、一つ上の階層に配置された自データベースを管轄するデータベースから分配された目標データが示す目標値の単位を、予め定められた規則に従い自データベースが採用する単位に変換する。また、配下のデータベースから収集した実績データが示す実績値の単位を、前記予め定められた規則に従い、一つ上の階層に配置された自データベースを管轄するデータベースが採用する単位に変換する。
【０００９】
例えば、本発明は、目標データおよび実績データを複数の階層で管理するデータ管理システムであって、
最上層に位置する全体統括部門に対して設けられた全体統括部門データベースと、
最下層に位置する少なくとも１つの要素部門毎に設けられた要素部門データベースと、
少なくとも１つの中間層に位置する少なくとも１つの要素統括部門毎に設けられた要素統括部門データベースと、を備え、
前記要素部門データベースは、
自要素部門の一つ上の階層に位置し当該自要素部門を管轄する部門に設けられた要素統括部門データベースである第１の管轄部門データベースより、目標データを受信する要素部門目標データ受信手段と、
前記要素部門目標データ受信手段で受信した目標データを記憶する要素部門目標データ記憶手段と、
自要素部門の実績データを記憶する要素部門実績データ記憶手段と、
前記要素部門実績データ記憶手段から実績データを読み出して、前記第１の管轄部門データベースに送信する要素部門実績データ送信手段と、
前記要素部門実績データ記憶手段に記憶されている実績データと、前記要素部門目標データ記憶手段に記憶されている目標データとを用いて、当該目標データが示す目標値に対する当該実績データが示す実績値の達成率を含む報告データを生成し出力する第１の報告データ出力手段と、を有し、
前記要素統括部門データベースは、
自要素統括部門の一つ上の階層に位置し当該自要素統括部門を管轄する部門に設けられた要素統括部門データベースあるいは全体統括部門データベースである第２の管轄部門データベースより、目標データを受信する要素統括部門目標データ受信手段と、
前記要素統括部門目標データ受信手段より受信した目標データを記憶する要素統括部門目標データ記憶手段と、
自要素統括部門の一つ下の階層に位置し当該自要素統括部門が管轄する各部門に設けられた要素統括部門データベースあるいは要素部門データベースである第１の被管轄部門データベースより、実績データを受信する要素統括部門実績データ受信手段と、
前記要素統括部門実績データ受信手段で受信した実績データを記憶する要素統括部門実績データ記憶手段と、
前記要素統括部門目標データ記憶手段に記憶されている目標データが示す目標値の単位を、予め定められた規則に従い自要素統括部門が採用する単位に変換すると共に、前記要素統括部門実績データ記憶手段に記憶されている実績データが示す実績値の単位を、前記予め定められた規則に従い前記自要素統括部門を管轄する部門が採用する単位に変換するデータ変換手段と、
前記第１の被管轄部門データベース各々に対して、前記データ変換手段により単位が変換された目標データを、予め定められた分配比率で分割して分配する第１の目標データ分配手段と、
前記データ変換手段により単位が変換された実績データを、前記第２の管轄部門データベースに送信する要素統括部門実績データ送信手段と、
前記要素括部門実績データ記憶手段に記憶されている実績データと、前記要素統括部門目標データ記憶手段に記憶されている目標データとを用いて、当該目標データが示す目標値に対する当該実績データが示す実績値の達成率を含む報告データを生成し出力する第２の報告データ出力手段と、を有し、
前記全体統括部門データベースは、
目標データを記憶する全体統括部門目標データ記憶手段と、
自全体統括部門の一つ下の階層に位置し当該自全体統括部門が管轄する各部門に設けられた要素統括部門データベースである第２の被管轄部門データベースより、実績データを受信する全体統括部門実績データ受信手段と、
前記全体統括部門実績データ受信手段で受信した実績データを記憶する全体統括部門実績データ記憶手段と、
前記第２の被管轄部門データベース各々に対して、前記全体統括部門目標データ記憶手段に記憶されている目標データを、予め定められた分配比率で分割して分配する第２の目標データ分配手段と、
前記全体統括部門実績データ記憶手段に記憶されている実績データと、前記全体統括部門目標データ記憶手段に記憶されている目標データとを用いて、当該目標データが示す目標値に対する当該実績データが示す実績値の達成率を含む報告データを生成し出力する第３の報告データ出力手段と、を有する。
【発明の効果】
【００１０】
本発明によれば、目標と実績とを各々の階層で管理できる。したがって、既存の複数の管理組織の存在を許容しつつ、これらの管理組織を全体として管理することができる。
【発明を実施するための最良の形態】
【００１１】
以下に、本発明の一実施の形態について、本発明をＥＭＳ組織の目標データおよび実績データを管理するＥＭＳデータ管理システムに適用した場合を例にとり説明する。
【００１２】
先ず、本実施形態のＥＭＳデータ管理システムの説明に先立ち、該ＥＭＳデータ管理システムを利用するＥＭＳ組織の組織構成について説明する。
【００１３】
図２は本実施形態のＥＭＳデータ管理システムを利用するＥＭＳ組織の組織構成を模式的に表した図である。図２に示す組織は、最上層に位置する全体統括部門と、中間層に位置する要素統括部門Ａ、Ｂと、最下層に位置する要素部門Ａ１〜Ａｎ、Ｂ１〜Ｂｎと、を有する。
【００１４】
全体統括部門は、一つ下の階層である中間層に位置する全ての要素統括部門Ａ、Ｂを配下とし、設定された目標を所定の比率で要素統括部門Ａ、Ｂ毎に分割して、各要素統括部門Ａ、Ｂに分配する。また、各要素統括部門Ａ、Ｂから実績データを収集する。そして、収集した実績データと目標データとを比較して目標通りの成果を得ることができたか否かを調査する。全体統括部門と要素統括部門Ａ、Ｂとで一つのＥＭＳ組織（第１層ＥＭＳ組織）５１を形成している。
【００１５】
要素統括部門Ａは、一つ下の階層である最下層に位置する要素部門Ａ１〜Ａｎ、Ｂ１〜Ｂｎのうち要素部門Ａ１〜Ａｎを配下とし、全体統括部門によって設定された目標を所定の比率で要素部門Ａ１〜Ａｎ毎に分割して、各要素部門Ａ１〜Ａｎに分配する。また、各要素部門Ａ１〜Ａｎから実績データを収集する。そして、収集した実績データと目標データとを比較して目標通りの成果を得ることができたか否かを調査する。要素統括部門Ａと要素部門Ａ１〜Ａｎとで一つのＥＭＳ組織（第２層ＥＭＳ組織Ａ）５２を形成している。
【００１６】
要素統括部門Ｂは、一つ下の階層である最下層に位置する要素部門Ａ１〜Ａｎ、Ｂ１〜Ｂｎのうち要素部門Ｂ１〜Ｂｎを配下とし、全体統括部門によって設定された目標を所定の比率で要素部門Ｂ１〜Ｂｎ毎に分割して、各要素部門Ｂ１〜Ｂｎに分配する。また、各要素部門Ｂ１〜Ｂｎから実績データを収集する。そして、収集した実績データと目標データとを比較して目標通りの成果を得ることができたか否かを調査する。要素統括部門Ｂと要素部門Ｂ１〜Ｂｎとで一つのＥＭＳ組織（第２層ＥＭＳ組織Ｂ）５３を形成している。
【００１７】
第１層ＥＭＳ組織５１、第２層ＥＭＳ組織Ａ５２、および、第２層ＥＭＳ組織Ｂ５３は、それぞれ個別に形成された独立したＥＭＳ組織である。しかし、図２に示す例では、要素統括部門Ａが、第１層ＥＭＳ組織５１では当該ＥＭＳ組織の下層部門（要素部門）として機能し、第２層ＥＭＳ組織Ａ５２では当該ＥＭＳ組織の上層部門（統括部門）として機能する。また、要素統括部門Ｂが、第１層ＥＭＳ組織５１では当該ＥＭＳ組織の下層部門（要素部門）として機能し、第２層ＥＭＳ組織Ｂ５３では当該ＥＭＳ組織の上層部門（統括部門）として機能する。したがって、第２層ＥＭＳ組織Ａ５２、Ｂ５３が第１層ＥＭＳ組織５１の下位組織として機能し、全体統括部門は、図２に示す組織全体の目標データと実績データとを管理することができる。
【００１８】
図１は本実施形態のＥＭＳデータ管理システムの概略図である。
【００１９】
図示するように、本実施形態のＥＭＳデータシステムは、全体統括部門に対して設けられた全体統括部門ＤＢ（データベース）１１と、要素統括部門Ａ、Ｂ各々に対して設けられた要素統括部門ＤＢ２１と、要素部門Ａ１〜Ａｎ、Ｂ１〜Ｂｎ各々に対して設けられた要素部門ＤＢ３１と、を有する。
【００２０】
全体統括部門ＤＢ１１は、全体統括部門内に敷設されたＬＡＮ１２に接続されており、また、ルータ１３を介してＷＡＮ４からアクセス可能に接続されている。また、要素統括部門ＤＢ２１は、要素統括部門内に敷設されたＬＡＮ２２に接続されており、また、ルータ２３を介してＷＡＮ４からアクセス可能に接続されている。また、要素部門ＤＢ３１は、要素部門内に敷設されたＬＡＮ３２に接続されており、また、ルータ３３を介してＷＡＮ４からアクセス可能に接続されている。
【００２１】
なお、全体統括部門内のＬＡＮ１２には、全体統括部門ＤＢ１１に登録されているＥＭＳデータ（目標データと実績データ）を閲覧したり、更新したりするための全体統括部門端末１４も接続されている。また、要素統括部門内のＬＡＮ２２には、要素統括部門ＤＢ２１に登録されているＥＭＳデータ（目標データと実績データ）を閲覧したり、更新したりするための要素統括部門端末２４も接続されている。また、要素部門内のＬＡＮ３２には、要素部門ＤＢ３１に登録されているＥＭＳデータ（目標データと実績データ）を閲覧したり、更新したりするための要素部門端末３４も接続されている。これらの端末１４、２４、３４には既存のネットワーク端末を利用できるので、その詳細な説明は省略する。
【００２２】
要素部門ＤＢ３１は、自要素部門に設定されたＥＭＳの目標データおよび当該目標データに対する実績データを登録し管理する。図３は要素部門ＤＢ３１の概略図である。
【００２３】
図示するように、要素部門ＤＢ３１は、ＬＡＮ３２に接続するためのネットワークＩＦ（インターフェース）部３１０と、記憶部３２０と、演算部３３０と、入力装置および表示装置等の情報の入出力を行う入出力部３４０と、を有する。
【００２４】
記憶部３２０は、要素部門目標データ記憶部３２１と、要素部門実績データ記憶部３２２と、を有する。
【００２５】
要素部門目標データ記憶部３２１には、自要素部門に設定されたＥＭＳの目標データが記憶される。図４は要素部門目標データ記憶部３２１の登録内容例を示す図である。図示するように、要素部門目標データ記憶部３２１には、ＩＳＯ１４００１でいうところの環境側面（管理項目）毎にレコード３２１０が登録されている。レコード３２１０は、環境側面を登録するフィールド３２１１と、該環境側面に対して自要素部門に設定された目標値を登録するフィールド３２１２と、該設定された目標値の達成期間を登録するフィールド３２１３と、を有する。
【００２６】
要素部門実績データ記憶部３２２には、自要素部門で達成されたＥＭＳの実績データが記憶される。図５は要素部門実績データ記憶部３２２の登録内容例を示す図である。図示するように、要素部門実績データ記憶部３２２には、要素部門目標データ記憶３２１に登録されているレコード３２１０毎にレコード３２２０が登録されている。レコード３２２０は、対応するレコード３２１０のフィールド３２１１に登録されている環境側面を登録するフィールド３２２１と、該環境側面に対して自要素部門で達成された実績値を登録するフィールド３２２２と、を有する。ここで、フィールド３２２２には、対応するレコード３２１０のフィールド３２１３に登録されている達成期間の期数分のサブフィールドが設けられており、各サブフィールドに当該サブフィールドに対応する期で達成できた実績値が登録される。
【００２７】
次に、演算部３３０は、アクセス制御部３３１と、検証部３３２と、を有する。アクセス制御部３３１は、記憶部３２０に対するＥＭＳデータの読み書きを制御する。検証部３３２は、記憶部３２０に記憶されている目標データに対する実績データの達成率を計算して報告書を作成し出力する。
【００２８】
図６は要素部門ＤＢ３１の動作を説明するためのフロー図である。
【００２９】
アクセス制御部３３１は、ネットワークＩＦ部３１０を介してアクセスされると（Ｓ１００１）、アクセス元が自要素部門の要素部門端末３４であるか、それとも、自要素部門ＤＢ３１を管轄する要素統括部門ＤＢ２１であるかを判断する（Ｓ１００２）。要素部門端末３４の場合はＳ１００３に進み、要素統括部門ＤＢ２１の場合はＳ１０１０に進む。
【００３０】
Ｓ１００３において、アクセス制御部３３１は、要素部門端末３４から指示を受信し、該指示の内容を確認する。指示の内容が閲覧要求である場合はＳ１００４に進み、登録要求である場合はＳ１００６に進み、そして、検証要求の場合はＳ１００８に進む。
【００３１】
Ｓ１００４において、アクセス制御部３３１は、要素部門目標データ記憶部３２１および要素部門実績データ記憶部３２２から目標データおよび実績データを読み出す。そして、読み出した目標データおよび実績データを、ネットワークＩＦ部３１０を介して、アクセス元の要素部門端末３４に送信する（Ｓ１００５）。
【００３２】
Ｓ１００６において、アクセス制御部３３１は、ネットワークＩＦ部３１０を介して、アクセス元の要素部門端末３４から、環境側面、対象期間、および、該対象期間における該環境側面の実測値を含む実績データを受信する。そして、受信した実績データに含まれている環境側面がフィールド３２２１に登録されているレコード３２２０を要素部門実績データ記憶部３２２から検索し、検索したレコード３２２０のフィールド３２２２の、該受信した実績データに含まれている対象期間に対応するサブフィールドに、該受信した実績データに含まれている実測値を登録する（Ｓ１００７）。
【００３３】
Ｓ１００８において、検証部３３２は、要素部門目標データ記憶部３２１および要素部門実績データ記憶部３２２から、同じ環境側面を持つレコード３２１０、３２２０を読み出す。そして、該レコード３２２０のフィールド３２２２に設けられているサブフィールドのうち、該レコード３２１０のフィールド３２１３に登録されている達成期間に属する期間のサブフィールドに登録されている実績値の合計を算出する。そして、該レコード３２１０のフィールド３２１２に登録されている目標値に対する、該算出した合計値の比率を求め、これを自要素部門における当該環境側面に対する達成率とする。この処理を、要素部門目標データ記憶部３２１および要素部門実績データ記憶部３２２に登録されている全ての環境側面のレコードに対して行う。次に、検証部３３２は、自要素部門における各環境側面に対する達成率を含んだ報告書データを作成し、これをネットワークＩＦ部３１０を介して、アクセス元の要素部門端末３４に送信する（Ｓ１００９）。あるいは、入出力部３４０から出力する。
【００３４】
Ｓ１０１０において、アクセス制御部３３１は、自要素部門を管轄する要素統括部門ＤＢ２１から指示を受信し、該指示の内容を確認する。指示の内容が目標データの登録要求である場合はＳ１０１１に進み、実績データの収集要求である場合はＳ１０１３に進む。
【００３５】
Ｓ１０１１において、アクセス制御部３３１は、ネットワークＩＦ部３１０を介して、アクセス元の要素統括部門ＤＢ２１から、環境側面毎に目標値、達成期間および短期目標を含んだ目標データを受信する。そして、環境側面毎に、環境側面、達成期間および短期目標を含んだレコード３２１０を生成して、要素部門目標データ記憶部３２１に登録する（Ｓ１０１２）。
【００３６】
Ｓ１０１３において、アクセス制御部３３１は、要素部門実績データ記憶部３２２から各レコード３２２０を読出す。そして、これらのレコード３２２０を、自要素部門の実績データとして、ネットワークＩＦ部３１０を介して、アクセス元の要素統括部門ＤＢ２１に送信する（Ｓ１０１４）。
【００３７】
図１に戻って説明を続ける。要素統括部門ＤＢ２１は、自要素統括部門に設定されたＥＭＳの目標データおよび当該目標データに対する実績データを登録し管理する。なお、自要素統括部門の目標データは、自要素統括部門が管轄する各要素部門に分配されて設定さる。また、自要素統括部門が管轄する各要素部門の実績データの合計が自要素統括部門の実績データとなる。図７は要素統括部門ＤＢ２１の概略図である。
【００３８】
図示するように、要素統括部門ＤＢ２１は、ＬＡＮ２２に接続するためのネットワークＩＦ部２１０と、記憶部２２０と、演算部２３０と、入力装置および表示装置等の情報の入出力を行う入出力部２４０と、を有する。
【００３９】
記憶部３２０は、要素統括部門上層用目標データ記憶部２２１と、要素統括部門上層用実績データ記憶部２２２と、要素統括部門下層用目標データ記憶部２２３と、要素統括部門下層用目標分配データ記憶部２２４と、要素統括部門下層用実績データ記憶部２２５と、上層用-下層用変換データ記憶部２２６と、を有する。
【００４０】
要素統括部門上層用目標データ記憶部２２１には、全体統括部門ＤＢ１１によって自要素統括部門に設定されたＥＭＳの目標データが記憶される。図８は要素統括部門上層用目標データ記憶部２２１の登録内容例を示す図である。図示するように、要素統括部門上層用目標データ記憶部２２１には、環境側面（管理項目）毎にレコード２２１０が登録されている。レコード２２１０は、環境側面を登録するフィールド２２１１と、該環境側面に対して自要素統括部門に設定された目標値を登録するフィールド２２１２と、該設定された目標値の達成期間を登録するフィールド２２１３と、を有する。
【００４１】
要素統括部門上層用実績データ記憶部２２２には、要素統括部門上層用目標データ記憶部２２１に記憶されている目標データに対して、自要素統括部門で達成されたＥＭＳの実績データが記憶される。図９は要素統括部門上層用実績データ記憶部２２２の登録内容例を示す図である。図示するように、要素統括部門上層用実績データ記憶部２２２には、要素統括部門上層用目標データ記憶２２１に登録されているレコード２２１０毎にレコード２２２０が登録されている。レコード２２２０は、対応するレコード２２１０のフィールド２２１１に登録されている環境側面を登録するフィールド２２２１と、該環境側面に対して自要素部門で達成された実績値を登録するフィールド２２２２と、該実績値の収集期間を登録するフィールド２２２３と、を有する。
【００４２】
要素統括部門下層用目標データ記憶部２２３には、自要素統括部門が管轄する要素部門に設定するＥＭＳの目標データが記憶される。図１０は要素統括部門下層用目標データ記憶部２２３の登録内容例を示す図である。図示するように、要素統括部門下層用目標データ記憶部２２３には、環境側面（管理項目）毎にレコード２２３０が登録されている。レコード２２３０は、環境側面を登録するフィールド２２３１と、該環境側面に対して自要素統括部門に設定された目標値を登録するフィールド２２３２と、該設定された目標値の達成期間を登録するフィールド２２３３と、を有する。
【００４３】
なお、要素統括部門下層用目標データ記憶部２２３に登録されている環境側面と要素統括部門上層用目標データ記憶部２２１に登録されている環境側面とが異なっている。これは、第１層ＥＭＳ組織５１と、第２層ＥＭＳ組織５２、５３とが、それぞれの階層で（異なる粒度）で環境側面を独自に管理していることを意味している。
【００４４】
要素統括部門下層用目標分配データ記憶部２２４には、要素統括部門下層用目標データ記憶部２２３に登録されている目標データを、自要素統括部門が管轄する要素部門各々に分配して設定する際の分配比率を示す分配データが記憶される。図１１は要素統括部門下層用目標分配データ記憶部２２４の登録内容例を示す図である。図示するように、要素統括部門下層用目標分配データ記憶部２２４には、要素統括部門下層用目標データ記憶２２３に登録されているレコード２２３０毎にレコード２２４０が登録されている。レコード２２４０は、対応するレコード２２３０のフィールド２２３１に登録されている環境側面を登録するフィールド２２４１と、自要素統括部門が管轄する各要素部門の分配比率を登録するフィールド２２４２と、を有する。
【００４５】
要素統括部門下層用実績データ記憶部２２５には、要素統括部門下層用目標データ記憶部２２３に記憶されている目標データに対して、自要素統括部門が管轄する各要素部門で達成されたＥＭＳの実績データが記憶される。図１２は要素統括部門下層用実績データ記憶部２２５の登録内容例を示す図である。図示するように、要素統括部門下層用実績データ記憶部２２５には、要素統括部門下層用目標データ記憶部２２３に記憶されている環境側面と実績データ収集元の要素部門との組合せ毎にレコード２２５０が登録されている。レコード２２５０は、環境側面を登録するフィールド２２５１と、該環境側面に対する実績値の収集元要素部門を登録するフィールド２２５２と、該環境側面に対して当該収集元要素部門で達成された実績値を登録するフィールド２２５３と、を有する。ここで、フィールド２２５３には、フィールド２２５１に登録されている環境側面が登録されている要素統括部門下層用目標データ記憶部２２３のレコード２２３０の、フィールド２２３３に登録されている達成期間の期数分のサブフィールドが設けられており、各サブフィールドに当該サブフィールドに対応する期で達成できた実績値が登録される。
【００４６】
上層用-下層用変換データ記憶部２２６には、要素統括部門上層用目標データ記憶部２２１に登録され目標データを要素統括部門下層用目標データ記憶部２２３に登録される目標データに変換すると共に、要素統括部門下層用実績データ記憶部２２５に登録される実績データを要素統括部門上層用実績データ記憶部２２２に登録される実績データに変換するための変換データが記憶される。図１３は上層用-下層用変換データ記憶部２２６の登録内容例を示す図である。図示するように、要素統括部門下層用目標データ記憶部２２３（要素統括部門下層用実績データ記憶部２２５）に登録されている環境側面毎にレコード２２６０が登録されている。レコード２２６０は、要素統括部門下層用目標データ記憶部２２３（要素統括部門下層用実績データ記憶部２２５）に登録されている環境側面（下層管理項目）を登録するフィールド２２６１と、要素統括部門上層用目標データ記憶部２２１（要素統括部門上層用実績データ記憶部２２２）に登録されている環境側面であって、当該下層管理項目に対応する環境側面（上層管理項目）を登録するフィールド２２６２と、フィールド２２６２に登録されている上層管理項目からフィールド２２６１に登録されている下層管理項目へ変換する際の目標値の分配比率を登録するフィールド２２６３と、フィールド２２６２に登録されている上層管理項目とフィールド２２６１に登録されている下層管理項目との間の単位変換式を登録するフィールド２２６４と、を有する。
【００４７】
図１３に示す例では、ＣＯ２排出量（ｋｇ）に分配比率０.５を乗算し、さらに、係数ａを乗算することで、上層管理項目「ＣＯ２排出量（ｋｇ）」が下層管理項目「電力使用量（ｋｗｈ）」に変換される。また、ＣＯ２排出量（ｋｇ）に分配比率０.５を乗算し、さらに、係数ｂを乗算することで、上層管理項目「ＣＯ２排出量（ｋｇ）」が下層管理項目「石油使用量（ｔ）」に変換される。
【００４８】
次に、演算部２３０は、アクセス制御部２３１と、データ変換部２３２と、目標分配部２３３と、実績収集部２３４と、検証部２３５と、を有する。
【００４９】
アクセス制御部２３１は、記憶部２２０に対するＥＭＳデータの読み書きを制御する。データ変換部２３２は上述の上層管理項目および下層管理項目間のデータ変換を行う。目標分配部２３３は、要素統括部門下層用目標データ記憶部２２３に登録されている目標データを、自要素統括部門が管轄する各要素部門の要素部門ＤＢ３１に分配する。実績収集部２３４は、自要素統括部門が管轄する各要素部門の要素部門ＤＢ３１から実績データを収集する。そして、検証部２３５は、記憶部２２０に記憶されている目標データに対する実績データの達成率を計算して報告書を作成し出力する。
【００５０】
図１４は要素統括部門ＤＢ２１の動作を説明するためのフロー図である。
【００５１】
アクセス制御部２３１は、ネットワークＩＦ部２１０を介してアクセスされると（Ｓ２００１）、アクセス元が自要素統括部門の要素統括部門端末２４であるか、それとも、全体統括部門ＤＢ１１であるかを判断する（Ｓ２００２）。全体統括部門ＤＢ１１の場合はＳ２００３に進み、要素統括部門端末２４の場合はＳ２０１０に進む。
【００５２】
Ｓ２００３において、アクセス制御部２３１は、全体統括部門ＤＢ１１から指示を受信し、該指示の内容を確認する。指示の内容が目標データの登録要求である場合はＳ２００４に進み、実績データの収集要求である場合はＳ２００８に進む。
【００５３】
Ｓ２００４において、アクセス制御部２３１は、ネットワークＩＦ部２１０を介して、アクセス元の全体統括部門ＤＢ１１から、環境側面毎に目標値および達成期間を含んだ目標データを受信する。そして、環境側面毎に、環境側面および達成期間を含んだレコード２２１０を生成して、要素統括部門上層用目標データ記憶部２２１に登録する（Ｓ２００５）。次に、データ変換部２３２は、上層用-下層用変換データ記憶部２２６に登録されている変換データを用いて、要素統括部門上層用目標データ記憶部２２１に登録されている目標データを、要素統括部門下層用目標データ記憶部２２３に登録される目標データに変換する（Ｓ２００６）。
【００５４】
具体的には、データ変換部２３２は、上層用-下層用変換データ記憶部２２６からレコード２２６０を１つ抽出する。次に、該抽出したレコード２２６０のフィールド２２６２に登録されている環境側面がフィールド２２１１に登録されているレコード２２１０を、要素統括部門上層用目標データ記憶部２２１から検索する。そして、該検索したレコード２２１０のフィールド２２１２に登録されている目標値に、該抽出したレコード２２６０のフィールド２２６３に登録されている分配比率を乗算する。次に、乗算結果をパラメータとして、該抽出したレコード２２６０のフィールド２２６４に登録されている単位換算式に代入する。これにより、該抽出したレコード２２６０のフィールド２２６１に登録されている環境側面（下層管理項目）に対する目標値を計算する。また、該検索したレコード２２１０のフィールド２２１３に登録されている達成期間を、予め登録されている期間（自要素統括部門が管轄する各要素部門が採用する期の長さ）で割算することで達成期間の期数を計算する。この処理を上層用-下層用変換データ記憶部２２６に記憶されている全てのレコード２２６０各々に対して行うことで、各下層管理項目に対する目標値および達成期間の期数を計算する。
【００５５】
それから、データ変換部２３２は、下層管理項目毎に、下層管理項目、当該下層管理項目の目標値、および、達成期間を含むレコード２２３０を生成して、要素統括部門下層用目標データ記憶部２２３に記憶する（Ｓ２００７）。
【００５６】
Ｓ２００８において、アクセス制御部２３１は、要素統括部門上層用実績データ記憶部２２２から各レコード２２２０を読出す。そして、これらをレコード２２２０を、自要素統括部門の実績データとして、ネットワークＩＦ部２１０を介して、アクセス元の全体統括部門ＤＢ１１に送信する（Ｓ２００９）。
【００５７】
Ｓ２０１０において、アクセス制御部２３１は、ネットワークＩＦ部２１０を介して、アクセス元の要素統括部門端末２４から指示を受信し、該指示の内容を確認する。指示の内容が目標値の分配要求である場合はＳ２０１１に進み、実績値の収集要求である場合はＳ２０１８に進み、そして、検証要求の場合はＳ２０２６に進む。
【００５８】
Ｓ２０１１において、目標分配部１３３は変数ｘ＝１に設定する。次に、目標分配部１３３は、要素統括部門下層用目標データ記憶部２２３から各環境側面のレコード２２３０を読み出す（Ｓ２０１２）。また、目標分配部１３３は、要素統括部門下層用目標分配データ記憶部２２４から、自要素統括部門が管轄する要素部門Ｎｘ（但し、ＮはＡ又はＢのいずれか）の各環境側面の分配比率を読み出す（Ｓ２０１３）。それから、目標分配部１３３は、各環境側面のレコード２２３０各々について、フィールド２２３２に登録されている目標値に、当該環境側面の分配比率を乗算することで、要素部門Ｎｘに設定する各環境側面の目標値を算出する（Ｓ２０１４）。そして、環境側面毎に、算出した当該環境側面の目標値および当該環境側面のレコード２２３０のフィールド２２３３に登録されている達成期間を含む目標データを生成し、これをネットワークＩＦ部２１０を介して、要素部門Ｎｘの要素部門ＤＢ３１に送信する（Ｓ２０１５）。次に、目標分配部１３３は、変数ｘの値が自要素統括部門が管轄する要素部門の数に到達したか否かを判断する（Ｓ２０１６）。到達していない場合（Ｓ２０１６でＮＯ）は、変数ｘを一つインクリメントし（Ｓ２０１７）、それから、Ｓ２０１２に戻る。一方、到達した場合（Ｓ２０１６でＹＥＳ）は、Ｓ２００１に戻る。
【００５９】
Ｓ２０１９において、実績収集部１３４は変数ｘ＝１に設定する。次に、実績収集部１３４は、自要素統括部門が管轄する要素部門Ｎｘ（但し、ＮはＡ又はＢのいずれか）の実績データの送信要求を生成し、これをネットワークＩＦ部２１０を介して、要素部門Ｎｘの要素部門ＤＢ３１に送信する。それから、実績収集部１３４は、要素部門Ｎｘの要素部門ＤＢ３１から各環境側面の実績データを受信する。そして、受信した環境側面の実績データ毎に、環境側面、要素部門Ｎｘの識別情報および実績値を含むレコード２２５０を生成し、これらを要素統括部門下層用実績データ記憶部２２５に登録する（Ｓ２０２０）。次に、実績収集部１３４は、変数ｘの値が自要素統括部門が管轄する要素部門の数に到達したか否かを判断する（Ｓ２０２１）。到達していない場合（Ｓ２０２１でＮＯ）は、変数ｘを一つインクリメントし（Ｓ２０２２）、それから、Ｓ２０１９に戻る。一方、到達した場合（Ｓ２０２１でＹＥＳ）は、要素統括部門下層用実績データ記憶部２２５に登録されているレコード２２５０の実績値（収集期間内の各期の合計）を、フィールド２２５１の環境側面毎に集計する（Ｓ２０２３）。それから、データ変換部２３２は、上層用-下層用変換データ記憶部２２６に登録されている変換データを用いて、環境側面毎に集計した実績データ（要素統括部門下層用実績データ記憶部２２５に登録されている実績データ）を、要素統括部門上層用実績データ記憶部２２２に登録される実績データに変換する（Ｓ２０２４）。
【００６０】
具体的には、データ変換部２３２は、上層用-下層用変換データ記憶部２２６からレコード２２６０を１つ抽出する。次に、該抽出したレコード２２６０のフィールド２２６１に登録されている環境側面について集計した実績値をパラメータとして、該抽出したレコード２２６０のフィールド２２６４に登録されている単位換算式に代入する。これにより、該抽出したレコード２２６０のフィールド２２６２に登録されている環境側面（上層管理項目）に対する実績値を計算する。ここで、当該環境側面に対する実績値が計算済みの場合は、この計算済みの値に、新たに計算した実績値を加算する。この処理を上層用-下層用変換データ記憶部２２６に記憶されている全てのレコード２２６０各々に対して行うことで、各上層管理項目に対する実績値を計算する。
【００６１】
それから、データ変換部２３２は、上層管理項目毎に、上層管理項目、当該上層管理項目の実績値、および、収集期間を含むレコード２２２０を生成して、要素統括部門上層用実績データ記憶部２２５に記憶する（Ｓ２０２５）。
【００６２】
Ｓ２０２６において、検証部２３５は、要素統括部門上層用目標データ記憶部２２１および要素統括部門上層用実績データ記憶部２２２から、同じ環境側面を持つレコード２２１０、２２２０を読み出す。そして、該レコード２２１０のフィールド２２１２に登録されている目標値に対する、該レコード２２２０のフィールド２２２２に登録されている実績値の比率を求め、これを自要素統括部門における当該環境側面に対する達成率とする。この処理を、要素統括部門上層用目標データ記憶部２２１および要素統括部門上層用実績データ記憶部２２２に登録されている全ての環境側面のレコードに対して行う。
【００６３】
あるいは、要素統括部門下層用目標データ記憶部２２３および要素統括部門下層用実績データ記憶部２２５から、同じ環境側面を持つレコード２２３０、２２５０を読み出す。そして、各レコード２２５０のフィールド２２５３に設けられているサブフィールドのうち、該レコード２２３０のフィールド２２３３に登録されている達成期間に属する期間のサブフィールドに登録されている実績値の合計を算出する。さらに、各レコード２２５０の合計値の合計（総和）を算出する。そして、該レコー２２１０のフィールド２２１２に登録されている目標値に対する、該算出した総和の比率を求め、これを自要素統括部門における当該環境側面に対する達成率とする。この処理を、要素統括部門下層用目標データ記憶部２２３および要素統括部門下層用実績データ記憶部２２５に登録されている全ての環境側面のレコードに対して行う。
【００６４】
次に、検証部２３５は、自要素統括部門における各環境側面に対する達成率を含んだ報告書データを作成し、これをネットワークＩＦ部３１０を介して、アクセス元の要素統括部門端末２４に送信する（Ｓ２０２７）。あるいは、入出力部２４０から出力する。
【００６５】
図１に戻って説明を続ける。全体統括部門ＤＢ１１は、自全体統括部門に設定されたＥＭＳの目標データおよび当該目標データに対する実績データを登録し管理する。なお、自全体統括部門の目標データは、各要素統括部門に分配されて設定される。また、各要素統括部門の実績データの合計が自全体統括部門の実績データとなる。図１５は全体統括部門ＤＢ１１の概略図である。
【００６６】
図示するように、全体統括部門ＤＢ１１は、ＬＡＮ１２に接続するためのネットワークＩＦ部１１０と、記憶部１２０と、演算部１３０と、入力装置および表示装置等の情報の入出力を行う入出力部１４０と、を有する。
【００６７】
記憶部１２０は、全体統括部目標データ記憶部１２１と、全体統括部門実績データ記憶部１２２と、全体統括部門目標分配データ記憶部１２３と、を有する。
【００６８】
全体統括部門目標データ記憶部１２１には、全体統括部門に設定されたＥＭＳの目標データが記憶される。図１６は全体統括部門目標データ記憶部１２１の登録内容例を示す図である。図示するように、全体統括部門目標データ記憶部１２１には、環境側面（管理項目）毎にレコード１２１０が登録されている。レコード１２１０は、環境側面を登録するフィールド１２１１と、該環境側面に対して自全体統括部門に設定された目標値を登録するフィールド１２１２と、該設定された目標値の達成期間を登録するフィールド１２１３と、を有する。
【００６９】
全体統括部門実績データ記憶部１２２には、全体統括部門目標データ記憶部１２１に記憶されている目標データに対して、自全体統括部門で達成されたＥＭＳの実績データが記憶される。図１７は全体統括部門実績データ記憶部１２２の登録内容例を示す図である。図示するように、全体統括部門実績データ記憶部１２２には、全体統括部門目標データ記憶部１２１に記憶されている環境側面と実績データ収集元の要素部門との組合せ毎にレコード１２２０が登録されている。レコード１２２０は、環境側面を登録するフィールド１２２１と、該環境側面に対する実績値の収集元要素統括部門を登録するフィールド１２２２と、該環境側面に対して当該収集元要素統括部門で達成された実績値を登録するフィールド１２２３と、該実績値の収集期間を登録するフィールド１２２４と、を有する。
【００７０】
全体統括部門目標分配データ記憶部１２３には、全体統括部門目標データ記憶部１２１に登録されている目標データを、各要素統括部門に分配して設定する際の分配比率を示す分配データが記憶される。図１８は全体統括部門目標分配データ記憶部１２３の登録内容例を示す図である。図示するように、全体統括部門目標分配データ記憶部１２３には、全体統括部門目標データ記憶部１２１に登録されているレコード１２１０毎にレコード１２３０が登録されている。レコード１２３０は、対応するレコード１２１０のフィールド１２１１に登録されている環境側面を登録するフィールド１２３１と、各要素統括部門Ａ、Ｂの分配比率を登録するフィールド１２３２と、を有する。
【００７１】
次に、演算部１３０は、アクセス制御部１３１と、検証部１３２と、目標分配部１３３と、実績収集部１３４と、を有する。
【００７２】
アクセス制御部１３１は、記憶部１２０に対するＥＭＳデータの読み書きを制御する。検証部１３２は、記憶部１２０に記憶されている目標データに対する実績データの達成率を計算して報告書を作成し出力する。目標分配部１３３は、全体統括部門目標データ記憶部１２１に登録されている目標データを、各要素統括部門の要素統括部門ＤＢ２１に分配する。そして、実績収集部１３４は、各要素統括部門の要素統括部門ＤＢ２１から実績データを収集する。
【００７３】
図１９は全体統括部門ＤＢ１１の動作を説明するためのフロー図である。
【００７４】
検証部１３２は、ネットワークＩＦ部１１０を介して全体統括部門端末１４から、あるいは入出力部１４０から検証指示を受信した場合（Ｓ３００１でＹＥＳ）、全体統括部門目標データ記憶部１２１および全体統括部門実績データ記憶部１２２から、同じ環境側面を持つレコード１２１０、１２２０を読み出す（Ｓ３００２、Ｓ３００３）。そして、該レコード１２１０のフィールド１２１２に登録されている目標値に対する、該レコード１２２０のフィールド１２２３に登録されている実績値の比率を求め、これを自全体統括部門における当該環境側面に対する達成率とする。この処理を、全体統括部門目標データ記憶部１２１および全体統括部門実績データ記憶部１２２に登録されている全ての環境側面のレコードに対して行う（Ｓ３００４）。次に、検証部１３２は、全体統括部門における各環境側面に対する達成率を含んだ報告書データを作成し、これをネットワークＩＦ部１１０を介して、アクセス元の全体統括部門端末１４に送信する（Ｓ３００５）。あるいは、入出力部１４０から出力する。
【００７５】
また、目標分配部１３３は、ネットワークＩＦ部１１０を介して全体統括部門端末１４から、あるいは入出力部１４０から目標分配指示を受信した場合（Ｓ３１０１でＹＥＳ）、予め登録されている要素統括部門Ａ、Ｂのうち、未注目の要素統括部門に注目する（Ｓ３１０２）。次に、目標分配部１３３は、全体統括部門目標データ記憶部１２１から各環境側面のレコード１２１０を読み出す（Ｓ３１０３）。また、目標分配部１３３は、全体統括部門目標分配データ記憶部１２３から、注目の要素統括部門の各環境側面の分配比率を読み出す（Ｓ３１０４）。それから、目標分配部１３３は、各環境側面のレコード１２１０各々について、フィールド１２１２に登録されている目標値に、当該環境側面の分配比率を乗算することで、注目の要素統括部門に設定する各環境側面の目標値を算出する（Ｓ３１０５）。そして、環境側面毎に、算出した当該環境側面の目標値および当該環境側面のレコード１２１０のフィールド１２１３に登録されている達成期間を含む目標データを生成し、これをネットワークＩＦ部１１０を介して、注目の要素統括部門の要素統括部門ＤＢ２１に送信する（Ｓ３１０６）。次に、目標分配部１３３は、未注目の要素統括部門があるか否かを判断する（Ｓ３１０７）。ある場合は（Ｓ３１０７でＹＥＳ）は、Ｓ３１０２に戻る。一方、ない場合（Ｓ３１０７でＮＯ）は、Ｓ３００１に戻る。
【００７６】
また、実績収集部１３４は、ネットワークＩＦ部１１０を介して全体統括部門端末１４から、あるいは入出力部１４０から実績収集指示を受信した場合（Ｓ３２０１でＹＥＳ）、予め登録されている要素統括部門Ａ、Ｂのうち、未注目の要素統括部門に注目する（Ｓ３２０２）。次に、実績収集部１３４は、注目している要素統括部門の実績データの送信要求を生成し、これをネットワークＩＦ部１１０を介して、注目の要素統括部門の要素統括部門ＤＢ２１に送信する。それから、実績収集部１３４は、注目の要素統括部門の要素統括部門ＤＢ２１から各環境側面の実績データを受信する。そして、受信した環境側面の実績データ毎に、環境側面、注目の要素統括部門の識別情報および実績値を含むレコード１２２０を生成し、これらを全体統括部門実績データ記憶部１２２に登録する（Ｓ３２０２）。次に、実績収集部１３４は、未注目の要素統括部門があるか否かを判断する（Ｓ３２０４）。ある場合は（Ｓ３２０４でＹＥＳ）は、Ｓ３２０２に戻る。一方、ない場合（Ｓ３２０４でＮＯ）は、Ｓ３００１に戻る。
【００７７】
なお、上記構成の全体統括部門ＤＢ１４、要素統括部門ＤＢ２４、および、要素部門ＤＢ３４は、例えば図２０に示すような、ＣＰＵ９０１と、メモリ９０２と、ＨＤＤ等の外部記憶装置９０３と、ＣＤ-ＲＯＭやＤＶＤ-ＲＯＭやＩＣカードなどの記憶媒体９０４からデータを読み取る読取装置９０５と、キーボードやマウスなどの入力装置９０６と、モニタやプリンタなどの出力装置９０７と、ＷＡＮ４に接続するためのＮＩＣ９０８と、これらの各装置を接続するバス９０９と、を備えた一般的なコンピュータシステムにおいて、ＣＰＵ９０１がメモリ９０２上にロードされたプログラムを実行することで実現できる。このプログラムは、読取装置９０５を介して記憶媒体９０４から、あるいは、ＮＩＣ９０８を介してＷＡＮ４から、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、記憶部１２０、２２０、３２０には、メモリ９０２や外部記憶装置９０３や記憶媒体９０４が利用される。また、ネットワークＩＦ部１１０、２１０、３１０には、ＮＩＣ９０８が該当する。
【００７８】
最後に、全体統括部門ＤＢ１１の全体統括部門目標データ記憶部１２１に登録されている、フィールド１２１１の管理項目（環境側面）が「ＣＯ２排出量」のレコード１２１０を例にとり、本実施形態に係るＥＭＳデータ管理システムの動作を説明する。
【００７９】
図２１は本実施形態に係るＥＭＳデータ管理システムの環境側面「ＣＯ２排出量」の目標データに対する取扱いを説明するための図である。
【００８０】
先ず、全体統括部門ＤＢ１１において、目標分配部１３３は、全体統括部門目標分配データ記憶部１２３に記憶されている目標分配データに従い、全体統括部門目標データ記憶部１２１に記憶されている環境側面「ＣＯ２排出量」７０１の目標データを、要素統括部門Ａ用の環境側面「ＣＯ２排出量」７０２Ａの目標データと、要素統括部門Ｂ用の環境側面「ＣＯ２排出量」７０２Ｂの目標データとに分割する。そして、分割した目標データを、それぞれ対応する要素統括部門Ａ、Ｂの要素統括部門ＤＢ２１に分配する（８０１）。
【００８１】
次に、要素統括部門Ａの要素統括部門ＤＢ２１において、アクセス制御部２３１は全体統括部門ＤＢ１１から受け取った環境側面「ＣＯ２排出量」７０２Ａの目標データを、要素統括部門上層用目標データ記憶部２２１に登録する。次に、データ変換部２３２は、上層用-下層用変換データ記憶部２２６に記憶されている変換データに従い、この環境側面「ＣＯ２排出量」７０２Ａの目標データを、環境側面「電力使用量」７０３Ａの目標データと、環境側面「石油使用量」７０４Ａの目標データとに変換する。そして、変換したこれ等の目標データを要素統括部門下層用目標データ記憶部２２３に登録する（８０２Ａ）。次に、目標分配部２３３は、要素統括部門下層用目標分配データ記憶部２２４に記憶されている目標分配データに従い、要素統括部門下層用目標データ記憶部２２３に記憶されている環境側面「電力使用量」７０３Ａの目標データを、要素部門Ａ１〜Ａｎ各々用の環境側面「電力使用量」７０５Ａ１〜７０５Ａｎの目標データに分割する。そして、分割した目標データを、それぞれ対応する要素部門Ａ１〜Ａｎの要素部門ＤＢ１１に分配する。同様に、環境側面「石油使用量」７０４Ａの目標データを、要素部門Ａ１〜Ａｎ各々用の環境側面「石油使用量」７０６Ａ１〜７０６Ａｎの目標データに分割する。そして、分割した目標データを、それぞれ対応する要素部門Ａ１〜Ａｎの要素部門ＤＢ１１に分配する（８０３Ａ）。
【００８２】
同様に、要素統括部門Ｂの要素統括部門ＤＢ１１において、アクセス制御部２３１は全体統括部門ＤＢ１１から受け取った環境側面「ＣＯ２排出量」７０２Ｂの目標データを、要素統括部門上層用目標データ記憶部２２１に登録する。次に、データ変換部２３２は、上層用-下層用変換データ記憶部２２６に記憶されている変換データに従い、この環境側面「ＣＯ２排出量」７０２Ｂの目標データを、環境側面「電力使用量」７０３Ｂの目標データと、環境側面「石油使用量」７０４Ｂの目標データとに変換する。そして、変換したこれ等の目標データを要素統括部門下層用目標データ記憶部２２３に登録する（８０２Ｂ）。次に、目標分配部２３３は、要素統括部門下層用目標分配データ記憶部２２４に記憶された目標分配データに従い、要素統括部門下層用目標データ記憶部２２３に記憶されている環境側面「電力使用量」７０３Ｂの目標データを、要素部門Ｂ１〜Ｂｎ各々用の環境側面「電力使用量」７０５Ｂ１〜７０５Ｂｎの目標データに分割する。そして、分割した目標データを、それぞれ対応する要素部門Ｂ１〜Ｂｎの要素部門ＤＢ１１に分配する。同様に、環境側面「石油使用量」７０４Ｂの目標データを、要素部門Ｂ１〜Ｂｎ各々用の環境側面「石油使用量」７０６Ｂ１〜７０６Ｂｎの目標データに分割する。そして、分割した目標データを、それぞれ対応する要素部門Ｂ１〜Ｂｎの要素部門ＤＢ１１に分配する（８０３Ｂ）。
【００８３】
次に、要素部門Ａｘ（但し１≦ｘ≦ｎ）の要素部門ＤＢ１１において、アクセス制御部３３１は要素統括部門Ａの要素統括部門ＤＢ２１から受け取った環境側面「電力使用量」７０５Ａｘの目標データおよび環境側面「電力使用量」７０６Ａｘの目標データを、要素部門目標データ記憶部３２１に登録する。また、アクセス制御部３３１は要素部門端末３４から受け取った環境側面「電力使用量」７０５Ａｘの実績データおよび環境側面「電力使用量」７０６Ａｘの実績データを、要素部門実績データ記憶部３２２に登録する。
【００８４】
同様に、要素部門Ｂｘ（但し１≦ｘ≦ｎ）の要素部門ＤＢ１１において、アクセス制御部３３１は要素統括部門Ｂの要素統括部門ＤＢ２１から受け取った環境側面「電力使用量」７０５Ｂｘの目標データおよび環境側面「電力使用量」７０６Ｂｘの目標データを、要素部門目標データ記憶部３２１に登録する。アクセス制御部３３１は要素部門端末３４から受け取った環境側面「電力使用量」７０５Ｂｘの実績データおよび環境側面「電力使用量」７０６Ｂｘの実績データを、要素部門実績データ記憶部３２２に登録する。
【００８５】
さて、要素統括部門Ａの要素統括部門ＤＢ２１において、実績収集部２３４は、要素部門Ａ１〜Ａｎ各々の要素部門ＤＢ１１に対して実績データの送信を要求する。要素部門Ａｘ（但し１≦ｘ≦ｎ）の要素部門ＤＢ１１において、アクセス制御部３３１は要素統括部門Ａの要素統括部門ＤＢ２１からの実績データの送信要求に従い、環境側面「電力使用量」７０５Ａｘの実績データおよび環境側面「電力使用量」７０６Ａｘの実績データを、要素部門実績データ記憶部３２２から読み出して要素統括部門Ａの要素統括部門ＤＢ２１に送信する。要素統括部門Ａの要素統括部門ＤＢ２１において、実績収集部２３４は、要素部門Ａ１〜Ａｎ各々の要素部門ＤＢ１１から受け取った環境側面「電力使用量」７０５Ａ１〜７０５Ａｎの実績データおよび環境側面「電力使用量」７０６Ａ１〜７０６Ａｎの実績データを、環境側面「電力使用量」７０３Ａの実績データおよび環境側面「電力使用量」７０４Ａの実績データとして、要素統括部門下層用実績データ記憶部２２５に登録する（８０３Ａ）。次に、要素統括部門Ａの要素統括部門ＤＢ２１において、データ変換部２３２は、上層用-下層用変換データ記憶部２２６に記憶されている変換データに従い、これ等の環境側面「電力使用量」７０３Ａの実績データおよび環境側面「石油使用量」７０４Ａの実績データを、環境側面「ＣＯ２排出量」７０２Ａの実績データに変換する。そして、変換した実績データを要素統括部門上層用実績データ記憶部２２２に登録する（８０２Ａ）。
【００８６】
同様に、要素統括部門Ｂの要素統括部門ＤＢ２１において、実績収集部２３４は、要素部門Ｂ１〜Ｂｎ各々の要素部門ＤＢ１１に対して実績データの送信を要求する。要素部門Ｂｘ（但し１≦ｘ≦ｎ）の要素部門ＤＢ１１において、アクセス制御部３３１は要素統括部門Ｂの要素統括部門ＤＢ２１からの実績データの送信要求に従い、環境側面「電力使用量」７０５Ｂｘの実績データおよび環境側面「電力使用量」７０５Ｂｘの実績データを、要素部門実績データ記憶部３２２から読み出して要素統括部門Ｂの要素統括部門ＤＢ２１に送信する。要素統括部門Ｂの要素統括部門ＤＢ２１において、実績収集部２３４は、要素部門Ｂ１〜Ｂｎ各々の要素部門ＤＢ１１から受け取った環境側面「電力使用量」７０５Ｂ１〜７０５Ｂｎの実績データおよび環境側面「電力使用量」７０６Ｂ１〜７０６Ｂｎの実績データを、環境側面「電力使用量」７０３Ｂの実績データおよび環境側面「電力使用量」７０４Ｂの実績データとして、要素統括部門下層用実績データ記憶部２２５に登録する（８０３Ｂ）。次に、要素統括部門Ｂの要素統括部門ＤＢ２１において、データ変換部２３２は、上層用-下層用変換データ記憶部２２６に記憶されている変換データに従い、これ等の環境側面「電力使用量」７０３Ｂの実績データおよび環境側面「石油使用量」７０４Ｂの実績データを、環境側面「ＣＯ２排出量」７０２Ｂの実績データに変換する。そして、変換した実績データを要素統括部門上層用実績データ記憶部２２２に登録する（８０２Ｂ）。
【００８７】
さて、全体統括部門の全体統括部門ＤＢ１１において、実績収集部１３４は、要素統括部門Ａ、Ｂ各々の要素統括部門ＤＢ２１に対して実績データの送信を要求する。要素統括部門Ａの要素統括部門ＤＢ２１において、アクセス制御部２３１は全体統括部門の全体統括部門ＤＢ１１からの実績データの送信要求に従い、環境側面「ＣＯ２排出量」７０２Ａの実績データを、要素統括部門上層用実績データ記憶部２２２から読み出して全体統括部門の全体統括部門ＤＢ１１に送信する。同様に、要素統括部門Ｂの要素統括部門ＤＢ２１において、アクセス制御部２３１は全体統括部門の全体統括部門ＤＢ１１からの実績データの送信要求に従い、環境側面「ＣＯ２排出量」７０２Ｂの実績データを、要素統括部門上層用実績データ記憶部２２２から読み出して全体統括部門の全体統括部門ＤＢ１１に送信する。全体統括部門の全体統括部門ＤＢ１１において、実績収集部１３４は、要素統括部門Ａ、Ｂ各々の要素部門ＤＢ２１から受け取った環境側面「ＣＯ２排出量」７０２Ａ、７０２Ｂの実績データを、環境側面「ＣＯ２排出量」７０３１の実績データとして、全体統括部門実績データ記憶部１２２に登録する（８０１）。
【００８８】
また、各ＤＢ１１、２１、３１は、それぞれの記憶部に記憶されている目標データと実績データとを比較して、各環境側面の目標に対する達成率を含んだ報告書データを作成し、出力あるいは端末に送信する。
【００８９】
以上、本発明の一実施形態について説明した。
【００９０】
本実施形態によれば、それぞれの部門に設けられたＤＢ１１、２１、３１で目標データと実績データとを階層的に管理するので、既存の複数のＥＭＳ組織の存在を許容しつつ、これらのＥＭＳ組織を全体として管理することができる。
【００９１】
なお、本発明は上記の実施形態に限定されるものではなく、その要旨の範囲内で数々の変形が可能である。例えば、上記の実施形態において、記憶部１２０、２２０、３２０は、必ずしも１つのコンピュータ装置に備えられているものである必要はなく、ネットワーク上に分散配置されているものであってもよい。同様に、演算部１２０、２２０、３３０の各部も、複数のコンピュータ装置によって実現されるものであってもよい。
【００９２】
また、上記の実施形態では、ＥＭＳ組織を２階層で形成した場合を例にとり説明した（図２参照）。しかし、本発明はこれに限定されない。ＥＭＳ組織を多階層で形成するものであればよい。例えば図２に示す組織構成を２系統分用意し、各系統の全体統括部門を管轄する統括部門をさらに用意し、この統括部門と２系統の全体統括部門とで一つのＥＭＳ組織（新ＥＭＳ組織）を形成することにより、ＥＭＳ組織を３階層で形成してもよい。この場合、全体統括部門は、新ＥＭＳ組織では、当該ＥＭＳ組織の下層部門（要素部門）として機能し、第１層ＥＭＳ組織５１では当該ＥＭＳ組織の上層部門（統括部門）として機能する。したがって、全体統括部門には、要素統括部門ＤＢ２１と同様の機能を有するＤＢを配置する必要がある。そして、新ＥＭＳ組織には、全体統括部門ＤＢ１１と同様の機能を有するＤＢを配置する必要がある。
【００９３】
また、上記の実施形態では、ＥＭＳ組織の目標データと実績データとを階層管理する場合を例にとり説明したが、本発明はこれに限定されない。本発明は、管理項目毎に、目標と実績を階層的に管理するデータ管理システム、例えば、ＩＳＯ９０００を含む目標マネジメントシステムに広く適用できる。
【図面の簡単な説明】
【００９４】
【図１】図１は本実施形態のＥＭＳデータ管理システムの概略図である。
【図２】図２は本実施形態のＥＭＳデータ管理システムを利用するＥＭＳ組織の組織構成を模式的に表した図である。
【図３】図３は要素部門ＤＢ３１の概略図である。
【図４】図４は要素部門目標データ記憶部３２１の登録内容例を示す図である。
【図５】図５は要素部門実績データ記憶部３２２の登録内容例を示す図である。
【図６】図６は要素部門ＤＢ３１の動作を説明するためのフロー図である。
【図７】図７は要素統括部門ＤＢ２１の概略図である。
【図８】図８は要素統括部門上層用目標データ記憶部２２１の登録内容例を示す図である。
【図９】図９は要素統括部門上層用実績データ記憶部２２２の登録内容例を示す図である。
【図１０】図１０は要素統括部門下層用目標データ記憶部２２３の登録内容例を示す図である。
【図１１】図１１は要素統括部門下層用目標分配データ記憶部２２４の登録内容例を示す図である。
【図１２】図１２は要素統括部門下層用実績データ記憶部２２５の登録内容例を示す図である。
【図１３】図１３は上層用-下層用変換データ記憶部２２６の登録内容例を示す図である。
【図１４】図１４は要素統括部門ＤＢ２１の動作を説明するためのフロー図である。
【図１５】図１５は全体統括部門ＤＢ１１の概略図である。
【図１６】図１６は全体統括部門目標データ記憶部１２１の登録内容例を示す図である。
【図１７】図１７は全体統括部門実績データ記憶部１２２の登録内容例を示す図である。
【図１８】図１８は全体統括部門目標分配データ記憶部１２３の登録内容例を示す図である。
【図１９】図１９は全体統括部門ＤＢ１１の動作を説明するためのフロー図である。
【図２０】図２０は全体統括部門ＤＢ１４、要素統括部門ＤＢ２４および要素部門ＤＢ３４のハードウエア構成例を示す図である。
【図２１】図２１は本実施形態に係るＥＭＳデータ管理システムの環境側面「ＣＯ２排出量」の目標データに対する取扱いを説明するための図である。
【符号の説明】
【００９５】
４…ＷＡＮ、１１…全体統括部門ＤＢ、１２…ＬＡＮ、１３…ルータ、１４…全体統括部門端末、２１…要素統括部門ＤＢ、２２…ＬＡＮ、２３…ルータ、２４…要素統括部門端末、３１…要素部門ＤＢ、３２…ＬＡＮ、３３…ルータ、３４…要素部門端末、１１０…ネットワークＩＦ部、１２０…記憶部、１２１…全体統括部門目標データ記憶部、１２２…全体統括部門実績データ記憶部、１２３…全体統括部門目標分配データ記憶部、１３０…演算部、１３１…アクセス制御部、１３２…検証部、１３３…目標分配部、１３４…実績収集部、１４０…入出力部、２１０…ネットワークＩＦ部、２２０…記憶部、２２１…要素統括部門上層用目標データ記憶部、２２２…要素統括部門上層用実績データ記憶部、２２３…要素統括部門下層用目標データ記憶部、２２４…要素統括部門下層用目標分配データ記憶部、２２５…要素統括部門下層用実績データ記憶部、２２６…上層用-下層用変換データ記憶部、２３０…演算部、２３１…アクセス制御部、２３２…データ変換部、２３３…目標分配部、２３４…実績収集部、２３５…検証部、２４０…入出力部、３１０…ネットワークＩＦ部、３２０…記憶部、３２１…要素部門目標データ記憶部、３２２…要素部門実績データ記憶部、３３０…演算部、３３１…アクセス制御部、３３２…検証部、３４０…入出力部
【図１】
2007048048.tif 000003
【図２】
2007048048.tif 000004
【図３】
2007048048.tif 000005
【図４】
2007048048.tif 000006
【図５】
2007048048.tif 000007
【図６】
2007048048.tif 000008
【図７】
2007048048.tif 000009
【図８】
2007048048.tif 000010
【図９】
2007048048.tif 000011
【図１０】
2007048048.tif 000012
【図１１】
2007048048.tif 000013
【図１２】
2007048048.tif 000014
【図１３】
2007048048.tif 000015
【図１４】
2007048048.tif 000016
【図１５】
2007048048.tif 000017
【図１６】
2007048048.tif 000018
【図１７】
2007048048.tif 000019
【図１８】
2007048048.tif 000020
【図１９】
2007048048.tif 000021
【図２０】
2007048048.tif 000022
【図２１】
2007048048.tif 000023